(57)【特許請求の範囲】
【請求項１】
端子金具を挿入するための複数のキャビティと、そのキャビティ内への前記端子金具の挿入途中で弾性撓みするとともにその端子金具が正規挿入された状態では弾性復帰してその端子金具を抜止め状態に保持するランスが形成されているコネクタハウジングと、
前記キャビティへの挿入を可能とされ、前記キャビティに挿入した状態では前記ランスを弾性撓みさせるランス強制変位部材と、
前記コネクタハウジングを嵌合させるための嵌合凹部が形成されている受け部材と、
前記嵌合凹部に設けられ、前記複数のキャビティのうち所定のキャビティに前記ランス強制変位部材が挿入されたときに弾性撓みする前記ランスとは非干渉であり、且つ前記所定のキャビティ以外の他のキャビティに前記ランス強制変位部材が挿入されたときに弾性撓みする前記ランスとは干渉する誤嵌合規制部とを備えてなることを特徴とするコネクタ。
【請求項２】
前記ランス強制変位部材には、前記キャビティへの挿入状態において前記弾性撓みした状態のランスと係止することでそのランス強制変位部材の前記キャビティからの抜けを規制する係止部が形成されていることを特徴とする請求項１記載のコネクタ。
【請求項３】
端子金具を挿入するための複数のキャビティと、そのキャビティ内への前記端子金具の挿入途中で弾性撓みするとともにその端子金具が正規挿入された状態では弾性復帰してその端子金具を抜止め状態に保持するランスが形成されているコネクタハウジングと、
前記コネクタハウジングを嵌合させるための嵌合凹部が形成されている受け部材とを備えたコネクタにおいて、
前記嵌合凹部に対し不正な組み合わせとなる前記コネクタハウジングが嵌合されることを防止するための誤嵌合防止方法であって、
前記複数のキャビティのうち所定のキャビティにランス強制変位部材を挿入することで前記ランスを弾性撓みさせ、
そのランスを弾性撓みさせた状態の前記コネクタハウジングを前記嵌合凹部に嵌合させる際に、
その嵌合凹部とコネクタハウジングが不正な組み合わせであるときには、その弾性撓みしたランスが前記嵌合凹部に設けた誤嵌合規制部と干渉してコネクタハウジングの嵌合動作を規制し、
嵌合凹部とコネクタハウジングが正規の組み合わせであるときには、弾性撓みしたランスが前記誤嵌合規制部と非干渉となってコネクタハウジングの嵌合動作を許容することを特徴とするコネクタの誤嵌合防止方法。
【請求項４】
端子金具を挿入するための複数のキャビティと、そのキャビティ内への前記端子金具の挿入途中で弾性撓みするとともにその端子金具が正規挿入された状態では弾性復帰してその端子金具を抜止め状態に保持するランスが形成されているコネクタハウジングと、
前記コネクタハウジングを嵌合させるための嵌合凹部が形成されている受け部材とを備えたコネクタにおいて、
前記嵌合凹部に対し不正な組み合わせとなる前記コネクタハウジングが嵌合されることを防止するための誤嵌合防止用のランス強制変位部材であって、
前記複数のキャビティのうちの所定のキャビティに挿入されることで前記ランスを弾性撓みさせるようになっているとともに、
前記ランスを弾性撓みさせた状態の前記コネクタハウジングが正規の組付相手である前記嵌合凹部に嵌合されたときには、その弾性撓みさせたランスが前記嵌合凹部に設けた誤嵌合規制部と非干渉となって前記コネクタハウジングの前記嵌合凹部への嵌合動作を許容し、
前記ランスを弾性撓みさせた状態の前記コネクタハウジングが不正な組付相手である前記嵌合凹部に嵌合されようとしたときには、その弾性撓みさせたランスが前記誤嵌合規制部と干渉してそのコネクタハウジングの嵌合凹部への嵌合動作を規制する構成としたことを特徴とする誤嵌合防止用のランス強制変位部材。
【請求項５】
前記キャビティへの挿入状態において、前記弾性撓みさせた状態のランスに対し前記キャビティからの抜け規制状態に係止する係止部が形成されていることを特徴とする請求項４記載の誤嵌合防止用のランス強制変位部材。
【発明の詳細な説明】
【０００１】
【発明の属する技術分野】
本発明は、誤嵌合防止手段を備えたコネクタに関するものである。
【０００２】
【従来の技術】
例えば、前面に複数の嵌合凹部を有する１つの雄側コネクタハウジングと、この雄側コネクタハウジングの各嵌合凹部内に嵌合される複数の雌側コネクタハウジングとからなり、嵌合凹部の内周形状が同一形状である分割コネクタの場合、雌側コネクタハウジングが本来嵌合すべき嵌合凹部とは別の嵌合凹部に誤って嵌合される虞がある。
【０００３】
そこで、誤嵌合防止の手段として、各嵌合凹部の内周に、夫々、他の嵌合凹部とは異なる位置に溝を形成するとともに、各雌側コネクタハウジングの外周に、夫々、その雌側コネクタハウジングが嵌合されるべき嵌合凹部の溝と対応するリブを形成することが行われていた。
【０００４】
【発明が解決しようとする課題】
従来の誤嵌合防止手段では、嵌合凹部毎にその溝の位置が異なるのに対応させるべく、リブの位置が互いに異なる複数種類の雌側コネクタハウジングが必要となる。そのため、雌側コネクタハウジングを成型するための金型の種類数も多くなり、その分、金型コストが高くつくという問題があった。
【０００５】
尚、このような誤嵌合防止手段を設けることに起因して金型コストが増大するという事情は、分割コネクタに限らず、１つの雄側コネクタハウジングと１つの雌側コネクタハウジングを一対一で嵌合させるコネクタを複数組集合させたワイヤーハーネスなどにおいても同様である。
本願発明は上記事情に鑑みて創案され、誤嵌合防止手段を備えたコネクタにおいて金型コストの低減を図ることを目的としている。
【０００６】
【課題を解決するための手段】
請求項１の発明にかかるコネクタは、端子金具を挿入するための複数のキャビティと、そのキャビティ内への前記端子金具の挿入途中で弾性撓みするとともにその端子金具が正規挿入された状態では弾性復帰してその端子金具を抜止め状態に保持するランスが形成されているコネクタハウジングと、前記キャビティへの挿入を可能とされ、前記キャビティに挿入した状態では前記ランスを弾性撓みさせるランス強制変位部材と、前記コネクタハウジングを嵌合させるための嵌合凹部が形成されている受け部材と、前記嵌合凹部に設けられ、前記複数のキャビティのうち所定のキャビティに前記ランス強制変位部材が挿入されたときに弾性撓みする前記ランスとは非干渉であり、且つ前記所定のキャビティ以外の他のキャビティに前記ランス強制変位部材が挿入されたときに弾性撓みする前記ランスとは干渉する誤嵌合規制部とを備えてなる構成とした。
【０００７】
請求項２の発明は、請求項１の発明において、前記ランス強制変位部材には、前記キャビティへの挿入状態において前記弾性撓みした状態のランスと係止することでそのランス強制変位部材の前記キャビティからの抜けを規制する係止部が形成されている構成とした。
請求項３の発明は、端子金具を挿入するための複数のキャビティと、そのキャビティ内への前記端子金具の挿入途中で弾性撓みするとともにその端子金具が正規挿入された状態では弾性復帰してその端子金具を抜止め状態に保持するランスが形成されているコネクタハウジングと、前記コネクタハウジングを嵌合させるための嵌合凹部が形成されている受け部材とを備えたコネクタにおいて、前記嵌合凹部に対し不正な組み合わせとなる前記コネクタハウジングが嵌合されることを防止するための誤嵌合防止方法であって、前記複数のキャビティのうち所定のキャビティにランス強制変位部材を挿入することで前記ランスを弾性撓みさせ、そのランスを弾性撓みさせた状態の前記コネクタハウジングを前記嵌合凹部に嵌合させる際に、その嵌合凹部とコネクタハウジングが不正な組み合わせであるときには、その弾性撓みしたランスが前記嵌合凹部に設けた誤嵌合規制部と干渉してコネクタハウジングの嵌合動作を規制し、嵌合凹部とコネクタハウジングが正規の組み合わせであるときには、弾性撓みしたランスが前記誤嵌合規制部と非干渉となってコネクタハウジングの嵌合動作を許容する構成とした。
【０００８】
請求項４の発明は、端子金具を挿入するための複数のキャビティと、そのキャビティ内への前記端子金具の挿入途中で弾性撓みするとともにその端子金具が正規挿入された状態では弾性復帰してその端子金具を抜止め状態に保持するランスが形成されているコネクタハウジングと、前記コネクタハウジングを嵌合させるための嵌合凹部が形成されている受け部材とを備えたコネクタにおいて、前記嵌合凹部に対し不正な組み合わせとなる前記コネクタハウジングが嵌合されることを防止するためのランス強制変位部材であって、前記複数のキャビティのうちの所定のキャビティに挿入されることで前記ランスを弾性撓みさせるようになっているとともに、前記ランスを弾性撓みさせた状態の前記コネクタハウジングが正規の組付相手である前記嵌合凹部に嵌合されたときには、その弾性撓みさせたランスが前記嵌合凹部に設けた誤嵌合規制部と非干渉となって前記コネクタハウジングの前記嵌合凹部への嵌合動作を許容し、前記ランスを弾性撓みさせた状態の前記コネクタハウジングが不正な組付相手である前記嵌合凹部に嵌合されようとしたときには、その弾性撓みさせたランスが前記誤嵌合規制部と干渉してそのコネクタハウジングの嵌合凹部への嵌合動作を規制する構成とした。
【０００９】
請求項５の発明は、請求項４の発明において、前記キャビティへの挿入状態において、前記弾性撓みさせた状態のランスに対し前記キャビティからの抜け規制状態に係止する係止部が形成されている構成とした。
【００１０】
【発明の作用及び効果】
［請求項１の発明］
コネクタハウジングには、その複数のキャビティのうちの所定のキャビティにランス強制変位部材を挿入して所定のランスを弾性撓みさせておく。コネクタハウジングが正規の組付相手である嵌合凹部に嵌合されたときには、弾性撓みしたランスが誤嵌合規制部と干渉しないので、支障なく嵌合凹部に嵌合される。また、コネクタハウジングが不正な組付相手となる嵌合凹部に嵌合されようとした場合には、弾性撓みしているランスが誤嵌合規制部と干渉するので嵌合動作が規制される。１種類のコネクタハウジングにおいて弾性撓みさせるランスを変更するだけで、誤嵌合規制部のパターンが異なる複数種類の嵌合凹部に対応させることができるので、コネクタハウジングの金型コストを低く抑えることができる。
【００１１】
［請求項２の発明］
ランスを利用してランス強制変位部材を抜け止めするようにしたので、ランスとは別の専用の抜止め手段を設ける必要がなく、コネクタハウジングの構造の簡素化を図ることができる。
［請求項３の発明］
コネクタハウジングが正規の組付相手である嵌合凹部に嵌合されたときには、弾性撓みしたランスが誤嵌合規制部と干渉しないので、支障なく嵌合凹部に嵌合される。また、コネクタハウジングが不正な組付相手となる嵌合凹部に嵌合されようとした場合には、弾性撓みしているランスが誤嵌合規制部と干渉するので嵌合動作が規制される。１種類のコネクタハウジングにおいて弾性撓みさせるランスを変更するだけで、誤嵌合規制部のパターンが異なる複数種類の嵌合凹部に対応させることができるので、コネクタハウジングの金型コストを低く抑えることができる。
【００１２】
［請求項４の発明］
コネクタハウジングが正規の組付相手である嵌合凹部に嵌合されたときには、弾性撓みさせたランスが誤嵌合規制部と干渉しないので、コネクタハウジングは支障なく嵌合凹部に嵌合される。また、コネクタハウジングが不正な組付相手である嵌合凹部に嵌合されようとしたときには、弾性撓みさせたランスが誤嵌合規制部と干渉することによってコネクタハウジングの嵌合が規制される。本発明のランス強制変位部材を用いれば、１種類のコネクタハウジングにおいて弾性撓みさせるランスを変更するだけで、誤嵌合規制部のパターンが異なる複数種類の嵌合凹部に対応させることができるので、コネクタハウジングの金型コストを低く抑えることができる。
【００１３】
［請求項５の発明］
ランスを利用して抜け止めするようにしたので、ランスとは別の専用の抜止め手段を設ける必要がなく、コネクタハウジングの構造の簡素化を図ることができる。
【００１４】
【発明の実施の形態】
［実施形態１］
以下、本発明を具体化した実施形態１を図１乃至図７を参照して説明する。
本実施形態のコネクタは、上下２つの嵌合凹部１１Ａ，１１Ｂが形成されている受け部材１０と、これら２つの嵌合凹部１１Ａ，１１Ｂに嵌合される２つのコネクタハウジング２０とを備えて構成され、一般に分割コネクタと称されるものである。
【００１５】
受け部材１０は合成樹脂製であり、その内部には、複数のキャビティ１２が形成されているとともに、上下２つの嵌合凹部１１Ａ，１１Ｂが形成されている。キャビティ１２には、その後端側の開口から端子金具（図示せず）が挿入されるようになっている。
嵌合凹部１１Ａ，１１Ｂは、後方からコネクタハウジング２０を嵌合させるようにしたものであり、受け部材１０の後端面上において、図５に示すように、上下双方の嵌合凹部１１Ａ，１１Ｂはいずれも横長の長円形上に開口されている。また、この２つの嵌合凹部１１Ａ，１１Ｂの上下寸法と幅寸法、及び左右両端の半円弧形部の半径は、互いに同じ寸法とされており、後述する誤嵌合規制部１４Ａａ，１４Ａｂ，１４Ｂａ，１４Ｂｂが形成されていなければ、同一種類のコネクタハウジング２０が上下いずれの嵌合凹部１１Ａ，１１Ｂにも嵌合し得るようになっている。尚、嵌合凹部１１Ａ，１１Ｂの左右両端面内周には、抜止め部１３が形成されている。
【００１６】
コネクタハウジング２０は合成樹脂製であり、その内部には複数のキャビティ２１が上下２段に分かれ、且つ各段において左右方向に一列に配列された状態で形成されている。各キャビティ２１内には、夫々、後方から端子金具３０が挿入される。また、コネクタハウジング２０の左右両端部外面には、嵌合凹部１１Ａ，１１Ｂの抜止め部１３と係止可能な係止アーム２２が形成されており、コネクタハウジング２０が嵌合凹部１１Ａ，１１Ｂに嵌合されると、抜止め部１３と係止アーム２２が係止することで、コネクタハウジング２０が抜止め状態に保持されるようになっている。尚、コネクタハウジング２０の後端面には、複数のキャビティ２１と対応する複数の電線挿通孔２４が形成された一括ゴム栓２３が取り付けられているとともに、この一括ゴム栓２３の後端面に密着するようにゴム栓ホルダ２５が取り付けられている。ゴム栓ホルダは、各電線挿通孔２４と対応する方形の挿入口２６を有し、コネクタハウジング２０の後端面に対して一括ゴム栓２３を挟圧保持するように組み付けられている。
【００１７】
コネクタハウジング２０における上段のキャビティ２１を構成する上面壁、及び下段のキャビティ２１を構成する下面壁には、前方へ片持ち状に延出する形態のランス２７が形成されている。このランス２７は、コネクタハウジング２０の外面側へ突出する方向、即ち、上面壁のランス２７は上方へ、下面壁のランス２７は下方へ向けて弾性撓みし得るようになっている。弾性撓みしたランス２７は、コネクタハウジング２０の上面又は下面よりもさらに上方又は下方に突出する状態となる。また、上段側のランス２７は、その下面（上段側のキャビティ２１に望む側の面）から突出する係止突起２７Ａを有し、下段側のランス２７は、その上面（下段側のキャビティ２１に望む側の面）から突出する係止突起２７Ａを有している。この係止突起２７Ａの前面（キャビティ２１に対する端子金具３０の挿入方向先方の面）は端子金具３０の挿入方向（前後方向）に対してほぼ直交する係止面２７Ｆとなっている。
【００１８】
キャビティ２１に挿入される端子金具３０について説明すると、端子金具３０は、その前端側部分に角筒部３１を有しているとともに、この角筒部３１の後端から後方へ延出する電線圧着部３２を有しており、角筒部３１と電線圧着部３２とはその底壁３３同士が細長い一枚板状に連続している。
上段側のキャビティ２１には、底壁３３を下側に向けた姿勢で端子金具３０が後方から挿入される。挿入の過程では、端子金具３０の角筒部３１の上面と係止突起２７Ａとが干渉することによって上段側のランス２７が上方へ弾性撓みし、端子金具３０が正規位置まで深く挿入されると、角筒部３１が係止突起２７Ａを通過するため、ランス２７がその弾性復元力によって下方へ弾性復帰し、係止突起２７Ａが角筒部３１の後端上縁に対して後方から係止する。この係止突起２７Ａの角筒部３１への係止により、端子金具３０が抜止め状態に保持される。この端子金具３０を抜止めしているときのランス２７は、自由状態、即ち弾性撓みしておらず、コネクタハウジング２０の上面２０Ａ（ランス２７同士の間を仕切る隔壁の上縁）から上方へ突出しない状態となっている。
【００１９】
一方、下段側のキャビティ２１には、端子金具３０が、底壁３３を上側に向けた姿勢、即ち上段側のキャビティ２１に挿入されるときとは上下反転した姿勢で後方から挿入される。尚、挿入過程及び正規挿入された状態における端子金具３０とランス２７との干渉及び係止の形態は、上段側のキャビティ２１に対する端子金具３０の挿入動作と同様であるので、説明は省略する。
さて、本実施形態のコネクタにおいては、上下の各嵌合凹部１１Ａ，１１Ｂに対して不正な組付相手となるコネクタハウジング２０が嵌合されようとしたときに、その嵌合動作を規制するための手段が設けられている。以下、その構成を説明する。各嵌合凹部１１Ａ，１１Ｂの内周には、夫々、誤嵌合規制部１４Ａａ，１４Ａｂ，１４Ｂａ，１４Ｂｂが形成されている。誤嵌合規制部１４Ａａ，１４Ａｂ，１４Ｂａ，１４Ｂｂは、嵌合凹部１１Ａ，１１Ｂの内周面のうちの上下両平坦面部に形成されており、嵌合方向における奥側領域から内側へ張り出す形態となっている。即ち、上面側の誤嵌合規制部１４Ａａ，１４Ｂａは下方へ下がった形態であり、下側の誤嵌合規制部１４Ａｂ，１４Ｂｂは上方へ持ち上がった形態となっている。上面側の誤嵌合規制部１４Ａａ，１４Ｂａの下面の高さ、及び下面側の誤嵌合規制部１４Ａｂ，１４Ｂｂの上面の高さは、ランス２７が弾性撓みしていない状態（コネクタハウジング２０の外面２０Ａから突出していない状態）でコネクタハウジング２０が嵌合凹部１１Ａ，１１Ｂに嵌合されたときにはランス２７とは干渉しないが、ランス２７が弾性撓みしてコネクタハウジング２０の外面２０Ａから突出した状態のコネクタハウジング２０を嵌合凹部１１Ａ，１１Ｂに嵌合したときには、その弾性撓みしたランス２７が干渉してコネクタハウジング２０のそれ以上の嵌合動作を規制するような高さに設定されている。
【００２０】
さて、かかる誤嵌合規制部１４Ａａ，１４Ａｂ，１４Ｂａ，１４Ｂｂには、正規の組付相手であるコネクタハウジング２０の嵌合を許容する手段として、切欠部１５Ａ，１５Ｂが形成されている。この切欠部１５Ａ，１５Ｂは、左右方向、即ちコネクタハウジング２０におけるキャビティ２１の並列方向における所定の位置にのみ形成され、且つ左右方向における切欠部１５Ａ，１５Ｂの形成位置は、上段の嵌合凹部１１Ａと下段の嵌合凹部１１Ｂとで互いに異なる位置に設定されている。また、この切欠部１５Ａ，１５Ｂの位置は、複数のランス２７のうちのいずれか１つのランス２７と対応する位置に設定されている。この切欠部１５Ａ，１５Ｂと対応するランス２７が弾性撓みした状態でコネクタハウジング２０が嵌合された場合、その弾性撓みしたランス２７は切欠部１５Ａ，１５Ｂ内に入り込むようになり、誤嵌合規制部１４Ａａ，１４Ａｂ，１４Ｂａ，１４Ｂｂとは干渉しない。したがって、弾性撓みしたランス２７と誤嵌合規制部１４Ａａ，１４Ａｂ，１４Ｂａ，１４Ｂｂとの干渉に起因してコネクタハウジング２０の嵌合動作が規制されることはない。
【００２１】
さらに、不正な組付相手となるコネクタハウジング２０の嵌合を規制する手段として、ランス強制変位部材４０が用いられている。ランス強制変位部材４０は、全体として前後方向に細長い角棒状をなし、後端面からは細長い丸棒状の摘み部４１が後方に突出形成されている。尚、摘み部４１は、一括ゴム栓２３の電線挿通孔２４に水密状態に貫通され、ゴム栓ホルダ２５の挿入口２６内に臨んでいる。ランス強制変位部材４０の左右両側面及び下面は全長に亘って平坦状をなすが、上面については、その前端側領域が下端側領域よりも少し段差状に高くなっている。この係止段部４２よりも前方の部分は、高さ及び幅が端子金具３０の角筒部３１と同じであり、係止段部４２よりも後方の部分の高さは端子金具３０の角筒部３１よりも小さくなっているが、その寸法差はごく僅かである。したがって、ランス２７の係止突起２７Ａが係止段部４２よりも後方部分の上面と干渉している状態では、ランス２７は弾性撓みしてコネクタハウジング２０の外面２０Ａから突出し、その突出寸法は、誤嵌合規制部１４Ａａ，１４Ａｂ，１４Ｂａ，１４Ｂｂと干渉し得るのに十分な寸法となっている。
【００２２】
また、ランス強制変位部材４０の前端面から係止段部４２までの前後方向の寸法は、端子金具３０の角筒部３１の前後方向の寸法と同じ寸法とされている。したがって、ランス強制変位部材４０がキャビティ２１内の最も奥の正規挿入位置まで挿入されると、ランス２７の係止突起２７Ａが係止段部４２に対して後方から係止し、もって、ランス強制変位部材４０がキャビティ２１からの抜け規制状態に保持されるようになっている。
【００２３】
次に、本実施形態の作用を説明する。
コネクタハウジング２０の複数のキャビティ２１のうち、所定の１つのキャビティ２１（そのコネクタハウジング２０を嵌合すべき嵌合凹部１１Ａ，１１Ｂの切欠部１５Ａ，１５Ｂと対応するキャビティ２１）にはランス強制変位部材４０が挿入される。このランス強制変位部材４０の挿入により、所定のランス２７が、その係止突起２７Ａをランス強制変位部材４０の係止段部４２よりも後方の外面と干渉することによってコネクタハウジング２０の外面から突出する状態となる。また、他のキャビティ２１には、夫々、端子金具３０が挿入される。また、ランス強制変位部材４０を挿入すべきキャビティ２１（即ち、弾性撓みさせるべきランス２７）は、上段側の嵌合凹部１１Ａに嵌合すべきコネクタハウジング２０と、下段側の嵌合凹部１１Ｂに嵌合すべきコネクタハウジング２０とで、互いに異なっている。
【００２４】
このように弾性撓みさせたランスの位置が互いに異なる２つのコネクタハウジング２０は、夫々、所定の嵌合凹部１１Ａ，１１Ｂに嵌合される。図２の下段側に示すように、コネクタハウジング２０が正規の組付相手である嵌合凹部１１Ｂに嵌合された場合には、弾性撓みしているランスが切欠部１５Ｂ内に進入することになるので、コネクタハウジング２０の嵌合動作が規制されることはなく、コネクタハウジング２０は支障なく嵌合される。この正規の嵌合は、上段側においても同様に行われる。
【００２５】
これに対し、不正な組付相手である嵌合凹部１１Ａ，１１Ｂに嵌合しようとした場合（例えば、下段側の嵌合凹部１１Ｂに嵌合すべきコネクタハウジング２０を上段側の嵌合凹部１１Ａに嵌合しようとした場合）には、図２の上段側及びストッパ６に示すように、嵌合の途中で、弾性撓みしているランス２７が誤嵌合規制部１４Ａａに当接し、それ以上のコネクタハウジング２０の嵌合動作が規制される。これにより、コネクタハウジング２０と嵌合凹部１１Ａの組み合わせが不正であったことがわかる。この不正な嵌合は、下段側においても同様に行われる。
【００２６】
上述のように本実施形態においては、キャビティ２１に挿入することによってランス２７を弾性撓みさせるランス強制変位部材４０を用い、嵌合凹部１１Ａ，１１Ｂには、複数のキャビティ２１のうち所定のキャビティ２１にランス強制変位部材４０が挿入されたときに弾性撓みするランス２７とは非干渉であり、且つ所定のキャビティ２１以外の他のキャビティ２１にランス強制変位部材４０が挿入されたときに弾性撓みするランス２７とは干渉する誤嵌合規制部１４Ａａ，１４Ａｂ，１４Ｂａ，１４Ｂｂとを形成した。これにより、１種類のコネクタハウジング２０において弾性撓みさせるランス２７を変更するだけで、誤嵌合規制部１４Ａａ，１４Ａｂ，１４Ｂａ，１４Ｂｂのパターンが異なる複数種類の嵌合凹部１１Ａ，１１Ｂに対応させることができる。換言すると、コネクタハウジング２０を複数種類用意する必要がないので、コネクタハウジング２０の金型コストを低く抑えることができる。
【００２７】
しかも、誤嵌合を防止する手段としてコネクタハウジング２０側にはランス２７が備えられていれば済むので、既存のコネクタハウジング２０をそのまま使用することが可能であり、新たにコネクタハウジング２０成形用の金型を製造せずに済んでいる。
また、キャビティ２１に挿入したランス強制変位部材４０を抜止めする手段として、端子金具３０を抜止めするためのランス２７を利用したので、ランス２７とは別の専用の抜止め手段を設ける必要がなく、コネクタハウジング２０の構造の簡素化が図られている。
【００２８】
また、本実施形態では、１つの嵌合凹部１１Ａ，１１Ｂに上下２つの誤嵌合規制部１４Ａａ，１４Ａｂ，１４Ｂａ，１４Ｂｂを形成するとともに、切欠部１５Ａ，１５Ｂを一方の（上段側の）誤嵌合規制部１４Ａａ，１４Ｂａのみにしか形成していない。したがって、たとえ嵌合凹部１１Ａ，１１Ｂとコネクタハウジング２０が正規の組み合わせであったとしても、コネクタハウジング２０の嵌合姿勢が正規とは上下反転した姿勢であるときには、弾性撓みしているランス２７が下段側の誤嵌合規制部１４Ａｂ，１４Ｂｂと干渉するので、この場合にも、嵌合が規制される。よって、上下反転した姿勢での嵌合も防止することができるようになっている。
【００２９】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では１つの受け部材に対して複数のコネクタハウジングを嵌合させる分割コネクタに適用した例を説明したが、本発明は、１つの受け部材（雄側コネクタハウジング）と１つのコネクタハウジング（雌側コネクタハウジング）とを一対一で嵌合させるコネクタにも適用することができる。
【００３０】
（２）上記実施形態では雌側コネクタハウジングの複数のキャビティを上下２段に分けて配列したが、本発明によれば、キャビティを１段のみの配列としてもよく、３段以上に分けた配列としてもよい。
（３）上記実施形態ではランスによってランス強制変位部材を抜け止めするようにしたが、本発明によれば、ランス強制変位部材をランスとは別の手段によって抜止めするようにしてもよい。
（４）上記実施形態では誤嵌合規制部を、嵌合凹部の奥側の位置に配置したが、本発明によれば、誤嵌合規制部を嵌合凹部の入口（開口縁）又はその近傍に配置してもよい。
【００３１】
（５）上記実施形態では切欠部を１つの嵌合凹部に１つだけ形成したが、本発明によれば、１つの嵌合凹部に複数の切欠部を形成してもよい。
（６）上記実施形態ではランスがコネクタハウジングの外面側に突出する形態で弾性撓みし、その弾性撓みしたランスが嵌合凹部の内周に形成した誤嵌合規制部と干渉するようにしたが、本発明によれば、ランスの弾性撓みがコネクタハウジングの内部で行われるようにし、その弾性撓みしたランスが、嵌合凹部の奥端面にピン状に突成された誤嵌合規制部がコネクタハウジング内に進入して弾性撓みしたランスと干渉するようにしてもよい。
【図面の簡単な説明】
【図１】実施形態１のコネクタハウジングの分解状態を示す斜視図
【図２】嵌合凹部にコネクタハウジングを嵌合した状態を示す断面図
【図３】嵌合凹部からコネクタハウジングを外した状態を示す断面図
【図４】コネクタハウジングの断面図
【図５】嵌合凹部及び誤嵌合規制部をあらわす正面図
【図６】ランス強制変位部材とランスと係止状態を示す部分拡大断面図
【図７】ランス強制変位部材の斜視図
【符号の説明】
１０…受け部材
１１Ａ…嵌合凹部
１１Ｂ…嵌合凹部
１４Ａａ…誤嵌合規制部
１４Ａｂ…誤嵌合規制部
１４Ｂａ…誤嵌合規制部
１４Ｂｂ…誤嵌合規制部
２０…コネクタハウジング
２１…キャビティ
２７…ランス
３０…端子金具
４０…ランス強制変位部材
【図１】
0003988375.tif 000002
【図２】
0003988375.tif 000003
【図３】
0003988375.tif 000004
【図４】
0003988375.tif 000005
【図５】
0003988375.tif 000006
【図６】
0003988375.tif 000007
【図７】
0003988375.tif 000008